(57)【要約】【課題】取り付け作業を単純化することができる部材取付具、幅木取付具及び幅木を提供する。【解決手段】幅木取付具２０は、第１方向に延びる横材１２を有する足場１０に、前記第１方向と交差する第２方向に延びる幅木１８を設置する幅木取付具２０であって、一方側から前記幅木を受け入れて保持するように構成された幅木保持部２１と、前記幅木保持部２１の他方側に設けられ、他方側から前記横材１２を受け入れて保持するように構成された横材保持部２２と、を一体に備える。【選択図】図２
2011042965.tif 000002
【特許請求の範囲】
【請求項１】
第１方向に延びる横材を有する足場に、前記第１方向と交差する第２方向に延びる幅木を設置する幅木取付具であって、
一方側から前記幅木を受け入れて保持するように構成された幅木保持部と、
前記幅木保持部の他方側に設けられ、他方側から前記横材を受け入れて保持するように構成された横材保持部と、を一体に備えたことを特徴とする幅木取付具。
【請求項２】
前記横材保持部は、前記第２方向両側の側部と上側の上部を有して下方に開口し、前記横材の上側を跨ぐように設置可能に構成され、
前記幅木保持部は、前記第１方向両側の側部と下側の下部を有して上側に開口し、上方から前記幅木を受入可能に構成されるとともに、
互いに離間して平行に設けられる複数の横材に、それぞれ前記横材保持部が設置された状態で、複数の前記幅木保持部に上側の前記開口から幅木が配置されると、前記幅木が複数の前記横材間に掛け渡されて保持されることを特徴とする請求項１記載の幅木取付具。
【請求項３】
前記足場は、前記横材に連結するとともに前記第１方向及び前記第２方向に交差する第３方向に延びる縦材を有し、
前記幅木保持部は、前記縦材と前記横材との間に形成されるコーナー部に配置された際に前記縦材に建てかけ可能に構成され、前記縦材側の上端に前記縦材に建てかけられた際に前記縦材の少なくとも一部を受け入れ可能な凹部が形成されたことを特徴とする請求項１または２記載の幅木取付具。
【請求項４】
前記幅木は、前記幅木保持部に保持される所定位置に貫通孔を有し、
前記幅木保持部は、前記貫通孔に対応する位置に設けられた孔部と、前記孔部、前記貫通孔、及び前記縦材の外周面を通って前記幅木と前記側部とを固定可能に構成された固定用部材と、備えたことを特徴とする請求項３記載の幅木取付具。
【請求項５】
第１方向に延びる横材を有する足場に、前記第１方向と交差する第２方向に延びる部材を設置する部材取付具であって、
一方側から前記部材を受け入れて保持するように構成された部材保持部と、
前記部材保持部の他方側に設けられ、他方側から前記横材を受け入れて保持するように構成された横材保持部と、を一体に備えたことを特徴とする部材取付具。
【請求項６】
足場用の建枠に掛け渡される幅木であって、
長手方向両端の所定位置に厚み方向に貫通する貫通孔が形成されるとともに、前記貫通孔に補強部が形成されたことを特徴とする幅木。
【発明の詳細な説明】
【技術分野】
【０００１】
本発明は幅木取付具、部材取付具及び幅木に関し、建設現場の足場等に用いられるものに関する。
【背景技術】
【０００２】
建設現場等において、作業者を支持する足場を架設することが行われている。一般的な足場は、縦方向に起立した複数本の縦材及び縦材間に水平に掛け渡された複数本の横材を有する建枠と、互いに離間する横材の間に掛け渡されて作業者の踏み場を構成する床材と、を備えて構成されている。
【０００３】
このような足場において、転落を防止するために、さん、手すり、幅木等の落下防止用の部材を設置することが求められる。例えば幅木は、所定幅を有する板状部材であり、床材の幅方向端縁に対応する位置において、床材から所定の高さを確保するように起立して設けられる。幅木を足場に設置する方法として、床材の外枠に対して外側から固定具を取付け、この固定具に幅木を固定する技術が提供されている（例えば、特許文献１参照）。
【先行技術文献】
【特許文献】
【０００４】
【特許文献１】特開２００８−１６９５５７号公報
【発明の概要】
【発明が解決しようとする課題】
【０００５】
しかしながら、上記の技術では以下のような問題がある。すなわち、上述の外側から床材の枠に取り付けられる固定具では、床材の外枠に外側から固定具を取り付ける際にねじ止めなどの作業工程を要するため、取付作業が複雑となり処理工程が多いという問題がある。
【０００６】
そこで、本発明は、取り付け作業を単純化することができる部材取付具、幅木取付具及び幅木を提供することを目的とする。
【課題を解決するための手段】
【０００７】
本発明の一形態に係る幅木取付具は、第１方向に延びる横材を有する足場に、前記第１方向と交差する第２方向に延びる幅木を設置する幅木取付具であって、一方側から前記幅木を受け入れて保持するように構成された幅木保持部と、前記幅木保持部の他方側に設けられ、他方側から前記横材を受け入れて保持するように構成された横材保持部と、を一体に備えたことを特徴とする幅木取付具。
【０００８】
本発明の他の一形態に係る幅木取付具は、前記横材保持部は、前記第２方向両側の側部と上側の上部を有して下方に開口し、前記横材の上側を跨ぐように設置可能に構成され、
前記幅木保持部は、前記第１方向両側の側部と下側の下部を有して上側に開口し、上方から前記幅木を受入可能に構成されるとともに、互いに離間して平行に設けられる複数の横材に、それぞれ前記横材保持部が設置された状態で、複数の前記幅木保持部に上側の前記開口から幅木が配置されると、前記幅木が複数の前記横材間に掛け渡されて保持されることを特徴とする。
【０００９】
本発明の他の一形態に係る幅木取付具は、前記足場は、前記横材に連結するとともに前記第１方向及び前記第２方向に交差する第３方向に延びる縦材を有し、前記幅木保持部は、前記縦材と前記横材との間に形成されるコーナー部に配置された際に前記縦材に建てかけ可能に構成され、前記縦材側の上端に前記縦材に建てかけられた際に前記縦材の少なくとも一部を受け入れ可能な凹部が形成されたことを特徴とする。
【００１０】
本発明の他の一形態に係る幅木取付具は、前記幅木は、前記幅木保持部に保持される所定位置に貫通孔を有し、前記幅木保持部は、前記貫通孔に対応する位置に設けられた孔部と、前記孔部、前記貫通孔、及び前記縦材の外周面を通って前記幅木と前記側部とを固定可能に構成された固定用部材と、備えたことを特徴とする請求項３記載の幅木取付具。
【００１１】
本発明の他の一形態に係る部材取付具は、第１方向に延びる横材を有する足場に、前記第１方向と交差する第２方向に延びる部材を設置する部材取付具であって、一方側から前記部材を受け入れて保持するように構成された部材保持部と、前記部材保持部の他方側に設けられ、他方側から前記横材を受け入れて保持するように構成された横材保持部と、を一体に備えたことを特徴とする部材取付具。
【００１２】
本発明の他の一形態に係る幅木は、足場用の建枠に掛け渡される幅木であって、長手方向両端の所定位置に厚み方向に貫通する貫通孔が形成されるとともに、前記貫通孔に補強部が形成されたことを特徴とする。
【発明の効果】
【００１３】
本発明によれば、取り付け作業を単純化することが可能となる。
【図面の簡単な説明】
【００１４】
【図１】本発明の第１実施形態に係る足場の構成を示す斜視図。
【図２】同実施形態に係る幅木取付具の構成を示す斜視図。
【図３】同実施形態に係る幅木取付具の構成を示す正面図。
【図４】同実施形態に係る幅木取付具の構成を示す側面図。
【発明を実施するための形態】
【００１５】
以下、本発明の一実施形態に係る幅木取付具（部材取付具）２０及び幅木１８ついて、図１乃至図５を参照して説明する。図１は、足場１０の一部を示す斜視図であり、図２は幅木取付具２０の斜視図、図３は幅木取付具２０の正面図、図４は側面図である。なお、図中矢印Ｘ，Ｙ，Ｚはそれぞれ互いに直交する３方向を示す。なお、この実施形態においてはＸ軸が第２方向、Ｙ軸が第１方向、Ｚ軸が第３方向に沿うように設定した場合を例示する。また、各図において説明のため、適宜構成を拡大、縮小または省略して示している。
【００１６】
幅木１８を取り付ける対象となる足場１０は、例えば建設領域の周囲を囲むように構成された枠組み足場であり、Ｚ軸に沿う鉛直方向に延びる複数本の縦材１１と、Ｙ軸に沿って水平に延びる複数本の横材１２と、を有して構成される建枠部１３を備えるとともに、複数本の横材１２の間に作業者の踏み場を構成する床材１４が水平に掛け渡されて構成されている。さらに、建枠部１３には、交差筋かい１６（一箇所のみ図示）が設けられている。
【００１７】
縦材１１は、直径４８．６ｍｍ程度の円管状を成し、建設領域の周囲において内外（Ｙ方向）に２列、周方向（Ｘ方向）に複数本、一定間隔で並列配置されている。横材１２は、直径４３．２ｍｍ程度の円管を成し、縦材１１間を連結するようにＹ軸に沿って延び、複数段設置されている。横材１２の両端がＹ方向に離間した２本の縦材１１の途中部分にそれぞれ連結接続されている。横材１２と縦材１１との間の連結部分に直角のコーナー部１７がそれぞれ形成されている。
【００１８】
床材１４は、矩形の板状を成すステップ部１４ａと、ステップ部１４ａの４隅にそれぞれ設けられた固定フック１４ｂと、を備えている。床材１４のＸ方向両端縁における、Ｙ方向両端にそれぞれ配された複数の固定フック１４ｂは、下側が開口する湾曲形状を成し、横材１２のＹ方向端部付近の外周面に上方から引っ掛けられて、支持されている。
【００１９】
縦材１１と横材１２との間のコーナー部１７に幅木取付具２０が設置されている。例えば本実施形態においては、Ｘ方向に一定間隔で並列する複数の横材１２に対して、１本おきに、幅木取付具２０が設置されている場合を示す。またＹ方向両側にそれぞれ幅木取付具２０が設置されている。Ｘ方向に離間する２つの幅木取付具２０の間に、Ｘ方向に延びる幅木１８が掛け渡されている。すなわち、１つの幅木取付具２０の図２中左右両側に、２本の幅木１８の長手方向両端がそれぞれ支持されている。
【００２０】
幅木１８は、細長い矩形の板状部材であり、床材１４の幅方向（Ｙ方向）端縁に対応する位置において、床材１４から所定の高さを確保するように起立して設けられる。幅木１８の長手方向（Ｘ方向）両端に固定用の貫通孔１８ａが形成されている。さらに、補強部として、貫通孔１８ａの内周面及び貫通孔１８ａ周縁の表面に、金属被覆部１８ｂが設けられている。ここでは一例として幅木１８の寸法は、例えば厚さｔ１＝１７〜２０ｍｍ程度、高さｈ１＝１７０ｍｍ程度に設定されている。
【００２１】
幅木取付具２０は上側に幅木１８を保持する幅木保持部２１（部材保持部）を有し、下側に横材１２を保持する横材保持部２２を有し、これら幅木保持部２１と横材保持部２２とが、連結部２３を介して互いに傾動可能に接続され、一体に構成されている。
【００２２】
幅木保持部２１は、例えば鉄等の金属板で構成され、横材１２の軸方向に沿うＹ方向両側の前後側壁２４，２５（側部）と、これら前後側壁２４，２５を繋ぐ底壁２６（下部）とを備え、上側に開口を有する断面コ字状を成している。後側壁２５は前側壁２４よりも高く寸法設定され、前側上方から幅木１８を容易に挿入できるようになっている。
【００２３】
前後側壁２４，２５は、左右両側にそれぞれ幅木１８の貫通孔１８ａと対向する孔部２７を備えている。開口内の前後側壁２４，２５の間であって、底壁２６上に形成される幅木収容部２８に、幅木１８が配置される。幅木収容部２８は、幅木１８よりも大きく寸法設定されている。
【００２４】
縦材１１側の後側壁２５の上端中央部分には、上端縁が下方に切欠かれた縦材収容凹部２５ａ（凹部）が形成されている。縦材収容凹部２５ａの中心は、Ｘ方向において下側の横材収容部３４の中心と同位置に配置される。
【００２５】
ここでは、例えば、前側壁２４の高さｈ２＝７０ｍｍ程度、後側壁２５の高さｈ３＝１５０ｍｍ程度、前後側壁２４，２５のｘ方向長さｘ１＝２５０ｍｍ程度、幅木収容部２８のＹ方向長さｙ１＝２０〜２５ｍｍ程度、縦材収容凹部２５ａのＸ方向長さｘ２＝５２ｍｍ程度に寸法設定されている。
【００２６】
孔部２７近傍には、固定用部材２９が取り付けられている。固定用部材２９は例えばワイヤー材、チェーン部材、ゴム部材などで構成される細長い紐状または帯状の部材を有し、固定用部材２９の端部にはワンタッチで折り曲げられることにより引き抜きを防止するストッパ２９ａが設けられている。
【００２７】
固定用部材２９は、前後側壁２４，２５間に幅木１８が配置された状態で、一方側（例えば図２中左側）の前側壁２４の孔部２７、幅木１８の貫通孔１８ａ、及び後側壁２５の孔部２７を貫通し、さらに縦材１１の後方側を回って、他方側（例えば図２中右側）の後側壁２５の孔部２７、幅木１８の貫通孔１８ａ、及び前側壁２４の孔部２７を貫通し、前側壁２４の前側に戻ってストッパ２９ａで固定されることにより、幅木１８を所定位置に位置決め固定する。
【００２８】
横材保持部２２は、例えば鉄等の金属板で構成され、Ｘ軸両側の左側壁３１（側部）及び右側壁３２（側部）と、これら左右側壁３１，３２同士を上方で繋ぐ上壁３３（上部）とを有し、下側に開口する断面コ字状に構成されている。幅木取付具２０を横材１２の上方から被せるように載置すると、横材保持部２２の下側の開口に形成される横材収容部３４に横材１２を受け入れ、横材保持部２２が横材１２を跨ぐように配置される。横材収容部３４は、横材１２よりも大きく寸法設定されている。
【００２９】
ここでは例えば、左右側壁３１，３２のｙ方向長さｙ２＝２０ｍｍ程度、横材収容部３４のｘ方向長さｘ３＝４５ｍｍ程度、横材保持部２２の高さｈ４＝６０ｍｍ程度、連結部２３の高さｈ５＝４０〜４５ｍｍ程度に寸法設定されている。
【００３０】
連結部２３は、幅木保持部２１に一体に接続された上側部材３５と、横材保持部２２に一体に接続された下側部材３６とが、支持ピン３７を中心に回動可能に連結されて構成される。幅木保持部２１は、前記横材保持部２２が前記横材１２に取付けられた状態において、後ろ側に配置される縦材１１に傾斜して建てかけ可能となっている。
【００３１】
連結部２３には回動規制部３８が形成されている。ここでは一例として、下側部材３６の上端部が後方のみ湾曲するとともに前方が上方に突出した形状を成し、この突出部分３６ａが回動規制部３８を構成する。すなわち、上側部材３５と下側部材３６との角度が所定の値に到達した際に、この突出部分３６ａが上側部材３５に当接して、それ以上の回動を防止するストッパとなるため、上側部材３５が下側部材３６に対して後方のみに傾斜可能となっている。
【００３２】
以下、本実施形態にかかる幅木取付具２０を用いた幅木１８の取付工程について、図１及び図４を参照して説明する。
【００３３】
まず、図１に示すように、互いに離間して平行に設けられる複数の横材１２に、横材保持部２２を上方から被せるように載置することで、下側の開口から横材１２を受け入れ、横材１２を横材収容部３４に係合させる。このとき、横材１２と縦材１１とのコーナー部１７において、縦材１１と固定フック１４ｂとの間の位置に、横材保持部２２を配置することで、横材保持部２２のＹ方向両側が固定フック１４ｂと縦材１１とに挟まれて位置決めされる。
【００３４】
ついで、図３に破線で示すように、上側を後方に移動させるように、幅木保持部２１を横材保持部２２に対して傾斜させる。すると後側壁２５が縦材１１に建て掛けられ、縦材収容凹部２５ａに縦材１１の外周面の前側が収容されて位置決めされる。以上により、幅木取付具２０がコーナー部１７において固定され、位置決めされる。
【００３５】
複数のコーナー部１７にそれぞれ幅木取付具２０を固定した状態において、幅木保持部２１の上側の開口から幅木収容部２８に幅木１８を入れる。このとき、１本の幅木１８の長手方向両端が、互いにＸ方向に離間する２つの幅木取付具２０の開口にそれぞれ配置されるようにして、１つの幅木保持部２１の幅木収容部２８に、２本の幅木１８の一端と他端をそれぞれ配置し、複数本の幅木１８を足場１０に設置する。以上により、床材１４の端縁に沿って、２つの幅木取付具２０間に幅木１８が起立した状態で掛け渡される。
【００３６】
幅木収容部２８に幅木１８が配置された後に、図３に示すように、固定用部材２９を縦材１１にまわし掛けて固定することで、幅木１８、幅木保持部２１及び縦材１１を固定する。このとき、固定用部材２９は、一方側（例えば図２中左側）の前側壁２４、幅木１８、及び後側壁２５を貫通し、さらに縦材１１の後方を回って、他方側（例えば図２中右側）の後側壁２５、幅木１８、及び前側壁２４を貫通し、前側壁２４の前側に戻ってストッパ２９ａで固定される。この結果、幅木１８が所定位置に位置決め固定される。
【００３７】
本実施形態にかかる幅木取付具２０及び幅木１８によれば、以下のような効果が得られる。すなわち、一方側から幅木１８を受け入れて保持する幅木保持部２１と他方側から横材１２を受け入れて保持する横材保持部２２とを一体に設けたことにより、幅木取付具２０を横材１２に載置し、幅木１８を上から入れるだけの簡単な作業で、容易に幅木１８を足場１０に取り付けることができる。また、取り付けのための工具を不要とすることができる。
【００３８】
横材保持部２２を、固定フック１４ｂと縦材１１の間に配置するだけでＹ方向において容易に位置決めすることができ、幅木保持部２１を縦材１１に建てかけることによりＸ方向において容易に位置決めできる。すなわち、一般的に枠組み足場１０として設けられている横材１２及び縦材１１のコーナー部１７を利用して、幅木１８及び幅木取付具２０の自重により、しっかりと位置決めできる。
【００３９】
したがって、幅木取付具２０の構成及び取り付け作業を単純とすることができ、幅木取付具２０の軽量化も可能となる。また、幅木１８の両端を２つの幅木収容部２８にそれぞれ配置するだけで、横材１２及び縦材１１のコーナーに対して強固に位置決めされるため、寸法設定などに要求される精度を緩和することが可能であり、汎用性が高い。
【００４０】
また、幅木保持部２１の上端に縦材収容凹部２５ａを形成したことにより、縦材１１に建てかけるだけで縦材１１に簡単に固定することが可能となる。２つの幅木１８と幅木保持部２１とを貫通するとともに縦材１１の後ろ側を回って固定される固定用部材２９により、２つの幅木１８を幅木取付具２０及び縦材１１に対して容易に固定することが可能となる。
【００４１】
なお、本発明は上記各実施形態で例示したものに限られるものではない。例えば各部材の形状、寸法、数、及び材質などの具体的な構成は適宜変更可能である。
【００４２】
上記実施形態においては複数本並列される横材１２において、一本おきに幅木取付具２０を設置したが、これに限られるものではなく、幅木１８の長さや間隔に応じて適宜変更である。例えば全ての横材１２に設置しても良いし２本以上間隔をあけても良い。上記実施形態では床材１４の両脇にそれぞれ幅木１８を設置したが、一方側のみとしても良い。
【００４３】
また、上記実施形態においては取り付けられる対象となる部材として木製の板状の幅木を例示したが、これに限られるものではない。例えばプラスチックなど他の材質からなる部材にも適用できる。また、板状の幅木に限らず棒状の部材等を横材１２間に掛け渡す場合にも適用できる。
【００４４】
この他、本発明は、実施段階においてその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００４５】
１０…足場、１１…縦材、１２…横材、１３…建枠部、１４…床材、
１４ａ…ステップ部、１４ｂ…固定フック、１７…コーナー部、１８…幅木、
１８ａ…貫通孔、１８ｂ…金属被覆部（補強部）、２０…幅木取付具（部材取付具）、
２１…幅木保持部（部材保持部）、２２…横材保持部、２３…連結部、２４…前側壁（側部）、
２５…後側壁（側部）、２５ａ…縦材収容凹部（凹部）、２６…底壁（下部）、
２７…孔部、２８…幅木収容部（開口）、２９…固定用チェーン（固定用部材）、
２９ａ…ストッパ、３１…左側壁（側部）、３２…右側壁（側部）、３３…上壁（上部）、
３４…横材収容部（開口）。
【図１】
2011042965.tif 000003
【図２】
2011042965.tif 000004
【図３】
2011042965.tif 000005
【図４】
2011042965.tif 000006